(57)【特許請求の範囲】
【請求項１】
アルファ化澱粉であって、ＵＤＭＳＯ（９体積のＤＭＳＯ、１体積の６Ｍ尿素）中、８ｍｇ／ｍｌの濃度、２５℃での、アルファ化澱粉の見かけ粘度の、対応する元の非アルファ化澱粉の見かけ粘度に対する比率が、１ｓ−１において１．００〜１．１８であり、前記澱粉の６重量％の水性分散液の３０℃での規格化貯蔵弾性率Ｇ’（ｃ／ｃ＊）が１５〜３０Ｐａである、アルファ化澱粉。
【請求項２】
溶質が１５％未満である、請求項１に記載のアルファ化澱粉。
【請求項３】
顆粒が未損傷であり、アミロペクチン基準ＳＦ（ＡＰ）による３０℃での膨張係数（ｓｗｅｌｌｉｎｇ  ｆａｃｔｏｒ）が２５〜４０であることを特徴とする、請求項１または２に記載のアルファ化澱粉。
【請求項４】
（ｔ０）１３５秒での初期粘度が５０ｍＰａ．ｓより高い、請求項１〜３のいずれか一つに記載のアルファ化澱粉。
【請求項５】
請求項１〜４のいずれか一つに記載のアルファ化澱粉の、食品、飼料、医薬品、化粧品、およびパーソナルケア製品における使用。
【請求項６】
食品が、幼児用調合乳または乳児用食品である、請求項５に記載の使用。
【請求項７】
乳児用食品成分と、１０〜２０％（乾燥重量基準）の請求項２〜４のいずれか一つに記載の澱粉とを含有する、乳児用食品。
【請求項８】
幼児用調合乳成分と、１０〜２０％（乾燥重量基準）の請求項２〜４のいずれか一つに記載の澱粉とを含有する幼児用調合乳。
【請求項９】
以下：
ａ）非アルファ化澱粉の水性スラリーを、噴霧乾燥機の二流体ノズルに供給するステップであって、二流体ノズルが、非アルファ化澱粉の水性スラリーのための少なくとも１つの入口と、過熱蒸気を供給するための少なくとも１つの入口と、少なくとも１つの出口とを備える内部チャンバを備える、ステップ；
ｂ）非アルファ化澱粉の水性スラリーを、二流体ノズルの内部チャンバ内に噴霧するステップ；
ｃ）過熱蒸気を、二流体ノズルの内部チャンバ内に注入することにより第一の過熱蒸気処理を施し、これにより、非アルファ化澱粉の噴霧された水性スラリーを、内部チャンバ内の過熱蒸気により加熱して、部分的に糊化された澱粉のスラリーを生成するステップであって、内部チャンバ内への少なくとも１つの入口での過熱蒸気の温度が、１５０℃〜６５０℃の範囲にある、ステップ；
ｄ）前記部分的に糊化された澱粉を、前記内部チャンバから前記少なくとも１つの出口を通って、過熱蒸気の流れまたは噴流を反応器内に導入するための少なくとも１つの入口と反応器の内容物を排出させるための少なくとも１つの出口とを備える反応器内へ排出するステップ；および
ｅ）前記反応器内に排出されたスラリーを過熱蒸気と接触させることによりさらなる過熱蒸気処理を施し、排出されたスラリー内の前記部分的に糊化された澱粉を完全に糊化し、当該完全に糊化された澱粉を乾燥して、乾燥した粒子状アルファ化澱粉を生成するステップ、
を含む、請求項１〜４のいずれか１つに記載のアルファ化澱粉を製造する方法。
【請求項１０】
前記の過熱蒸気が液体の水を含まない、請求項９に記載の方法。
【請求項１１】
澱粉のアミロース含有量が３５重量％以下である、請求項９または１０に記載の方法。
【請求項１２】
非アルファ化澱粉の水性スラリーの固形分含有量が、１〜４０重量％である、請求項９〜１１のいずれか１つに記載の方法。
【請求項１３】
前記アルファ化澱粉の溶質が１５％未満である、請求項９〜１２のいずれか１つに記載の方法。
【請求項１４】
前記アルファ化澱粉の顆粒が未損傷であり、前記アルファ化澱粉のアミロペクチン基準ＳＦ（ＡＰ）による３０℃での膨張係数（ｓｗｅｌｌｉｎｇ  ｆａｃｔｏｒ）が２５〜４０であることを特徴とする、請求項９〜１３のいずれか１つに記載の方法。
【請求項１５】
前記アルファ化澱粉の（ｔ０）１３５秒での初期粘度が５０ｍＰａ．ｓより高い、請求項９〜１４のいずれか一つに記載の方法。
【請求項１６】
ステップａ）において、非アルファ化澱粉の水性スラリーが、ノズル本体、ノズルキャップ、およびノズル本体とノズルキャップとの間に配置された内部チャンバを備えた二流体ノズルであって、ノズル本体が、澱粉の水性スラリーの供給器に接続するように適合された、澱粉の水性スラリーを内部チャンバ内に噴霧するための少なくとも１つの噴霧器を備え、内部チャンバが、圧力下の過熱蒸気の供給器に接続するように適合された、圧力下の過熱蒸気を内部チャンバ内へ導入するための少なくとも１つの入口を備え、そしてノズルキャップが内部チャンバからの少なくとも１つの出口を備え、前記内部チャンバが、内部チャンバの長さを変えることが可能な、４〜１０００ｍｍの長さを有する置換可能および／または交換可能なスペーサー要素も備えることを特徴とする二流体ノズルに供給される、請求項９〜１５のいずれか一つに記載の方法。
【発明の詳細な説明】
【技術分野】
【０００１】
本発明は、非アルファ化澱粉に過熱蒸気処理（ｓｕｐｅｒｈｅａｔｅｄ  ｓｔｅａｍ  ｔｒｅａｔｍｅｎｔ）を施すことにより、澱粉を化工するための方法に関する。本発明はさらに、アルファ化澱粉製品、さらには噴霧乾燥装置のためのノズルに関する。
【背景技術】
【０００２】
澱粉は、予蒸解（ｐｒｅ−ｃｏｏｋｅｄ）されると、冷たい食品を増粘させるために使用することができる。かかる澱粉は、アルファ化澱粉またはインスタント澱粉（ｉｎｓｔａｎｔ  ｓｔａｒｃｈ）と呼ばれる。それ以外の場合、澱粉は、増粘または「糊化」を生ずるために、熱を必要とする。過剰の水の中で澱粉を糊化するために必要となる実際の温度は、澱粉の種類に依存する。アルファ化澱粉は、特に、コンビニエンスフード（例えば、インスタントスープ、インスタントソース、インスタントグレービー、インスタント飲料、サラダドレッシングミックスなど）、酪農食品（例えば、インスタントプティングなど）、ベーカリー食品（ケーキミックス、ベーカリークリーム（ｂａｋｅｒｙ  ｃｒｅａｍ）など）、ならびにインスタントの乳児用食品および幼児用食品（ｉｎｆａｎｔ  ｆｏｏｄ）において、広く使用されている。
【０００３】
用語「糊化された」または「蒸解された（ｃｏｏｋｅｄ）」澱粉とは、その偏光十字を消失した膨張顆粒を指し、当該膨張顆粒は、その顆粒状構造を失っていても、失っていなくてもよい。用語「部分的に糊化された」澱粉とは、未だ完全に偏光十字を消失していない、部分的に膨張した顆粒を指す。アルファ化澱粉の調製に一般的に利用される熱プロセスとしては、ロール式乾燥（ｒｏｌｌ  ｄｒｙｉｎｇ）、押出、アルコール／水系での高温加熱、および、噴霧蒸解（ｓｐｒａｙ  ｃｏｏｋｉｎｇ）／乾燥などが挙げられる。アルファ化澱粉の物理的特性、特に、湿潤性、分散性、および冷水中のピーク粘度は、澱粉をアルファ化するために使用するプロセスに依存する。
【０００４】
ロール式乾燥された澱粉、および噴霧蒸解／乾燥された澱粉が、市場で最も広く使用されているアルファ化澱粉である。これらの澱粉は一般に、対応する顆粒状澱粉と比べて、糊化における増粘力が弱く、ゲル化傾向が小さい。増粘能力およびゲル化能力の喪失は、水和された顆粒状構造の部分的な破壊と関係している。ロール式乾燥された澱粉は、典型的には、噴霧蒸解／乾燥された澱粉と比較して、増粘力が弱い。熱力学的な観点からみると、ロール式乾燥と噴霧蒸解／乾燥の両方の汎用プロセスが、エネルギー効率においても優れていない。したがって、冷たい液体中で高い増粘力を有し、ロール式乾燥および噴霧蒸解／乾燥と比較してエネルギー的に効率のよいプロセスを介して製造し得るアルファ化澱粉が必要とされている。本発明の方法は、そのような澱粉を提供する。
【０００５】
特開昭６１−２８０２４４（特許文献１）には、過熱蒸気の存在下、１０５〜３５０℃の温度で、５分より短い時間、９ｋｇ／ｃｍ２未満のゲージ圧で、澱粉を熱処理することが開示されている。
【０００６】
国際公開第２００９／０１３３４６号（特許文献２）は、非アルファ化澱粉に過熱蒸気処理を施すことを含む、澱粉を化工するためのプロセスに関する。
【０００７】
欧州特許出願公開第００３２２９６号明細書（特許文献３）には、噴霧された状態の材料を蒸解または糊化して、容易に乾燥可能で均一で微細な大きさの生成物を得るためのプロセスおよび装置が記載されている。この文献では、蒸解予定の材料を、噴霧開口部を通してノズルアセンブリに注入し、比較的微細な大きさのスプレーを形成して、このスプレーを、材料がノズルアセンブリ内で蒸解または糊化されるような温度までノズルアセンブリ内で加熱する。
【先行技術文献】
【特許文献】
【０００８】
【特許文献１】特開昭６１−２８０２４４
【特許文献２】国際公開第２００９／０１３３４６号
【特許文献３】欧州特許出願公開第００３２２９６号明細書
【特許文献４】欧州特許出願公開第１０３８８８２号明細書
【非特許文献】
【０００９】
【非特許文献１】Ｔｈｅ  Ｒｈｅｏｌｏｇｙ  Ｈａｎｄｂｏｏｋ、Ｍｅｔｚｇｅｒ，  Ｔ．Ｇ．（Ｖｉｎｃｅｎｔｚ  Ｖｅｒｌａｇ、Ｈａｎｎｏｖｅｒ、Ｇｅｒｍａｎｙ）
【非特許文献２】Ｔｅｓｔｅｒ  ａｎｄ  Ｍｏｒｒｉｓｏｎ（１９９０）、Ｓｗｅｌｌｉｎｇ  ａｎｄ  Ｇｅｌａｔｉｎｉｚａｔｉｏｎ  ｏｆ  Ｃｅｒｅａｌ  Ｓｔａｒｃｈｅｓ．，  Ｉ．  Ｅｆｆｅｃｔｓ  ｏｆ  Ａｍｙｌｏｐｅｃｔｉｎ，  Ａｍｙｌｏｓｅ，  ａｎｄ  Ｌｉｐｉｄｓ、Ｃｅｒｅａｌ  Ｃｈｅｍｉｓｔｒｙ、第６７巻、第６号、第５５１〜５５７頁
【非特許文献３】Ｍｏｒｒｉｓｏｎ  ａｎｄ  Ｌａｉｇｎｅｌｅｔ（１９８３）、Ａｎ  ｉｍｐｒｏｖｅｄ  ｃｏｌｏｒｉｍｅｔｒｉｃ  ｐｒｏｃｅｄｕｒｅ  ｆｏｒ  ｄｅｔｅｒｍｉｎｉｎｇ  ａｐｐａｒｅｎｔ  ａｎｄ  ｔｏｔａｌ  ａｍｙｌｏｓｅ  ｉｎ  ｃｅｒｅａｌ  ａｎｄ  ｏｔｈｅｒ  ｓｔａｒｃｈｅｓ、Ｊｏｕｒｎａｌ  ｏｆ  Ｃｅｒｅａｌ  Ｓｃｉｅｎｃｅ、第１巻、第９〜２０頁
【非特許文献４】Ｓｔｅｅｎｅｋｅｎ（１９８９）、Ｒｈｅｏｌｏｇｉｃａｌ  Ｐｒｏｐｅｒｔｉｅｓ  ｏｆ  Ａｑｕｅｏｕｓ  Ｓｕｓｐｅｎｓｉｏｎｓ  ｏｆ  Ｓｗｏｌｌｅｎ  Ｓｔａｒｃｈ  Ｇｒａｎｕｌｅｓ、Ｃａｒｂｏｈｙｄｒａｔｅ  Ｐｏｌｙｍｅｒｓ、第１１巻、第２３〜４１頁
【非特許文献５】Ｋａｒｋａｌａｓ（１９８５）、Ａｎ  Ｉｍｐｒｏｖｅｄ  Ｅｎｚｙｍｉｃ  Ｍｅｔｈｏｄ  ｆｏｒ  ｔｈｅ  Ｄｅｔｅｒｍｉｎａｔｉｏｎ  ｏｆ  Ｎａｔｉｖｅ  ａｎｄ  Ｍｏｄｉｆｉｅｄ  Ｓｔａｒｃｈ、Ｊ  Ｓｃｉ  ＦｏｏｄＡｇｒｉｃ．、第３６巻、第１０１９〜１０２７頁
【発明の概要】
【発明が解決しようとする課題】
【００１０】
本発明による方法は、従来のアルファ化澱粉に比べて新規で優れた機能を有するアルファ化澱粉製品を提供する。
【課題を解決するための手段】
【００１１】
本発明は、澱粉を化工するための方法に関する。本方法は、
ａ）非アルファ化澱粉の水性スラリーを、噴霧乾燥機の二流体ノズルに供給するステップであって、二流体ノズルは、非アルファ化澱粉の水性スラリーのための少なくとも１つの入口と、過熱蒸気を供給するための少なくとも１つの入口と、少なくとも１つの出口とを備える内部チャンバを備える、ステップと、
ｂ）非アルファ化澱粉の水性スラリーを、二流体ノズルの内部チャンバ内に噴霧するステップと、
ｃ）過熱蒸気を、二流体ノズルの内部チャンバ内に注入し、これにより、非アルファ化澱粉の噴霧された水性スラリーを、内部チャンバ内の過熱蒸気により加熱して、部分的に糊化された澱粉のスラリーを生成するステップであって、内部チャンバ内への少なくとも１つの入口での過熱蒸気の温度は、１５０℃〜６５０℃、好ましくは２５０℃〜５５０℃、より好ましくは３５０℃〜４５０℃の範囲にある、ステップと、
ｄ）部分的に糊化された澱粉を、内部チャンバから少なくとも１つの出口を通って反応器内へ排出するステップと、
ｅ）前記反応器内に排出されたスラリーを過熱蒸気と接触させて、排出されたスラリー内の前記部分的に糊化された澱粉を完全に糊化し、完全に糊化された澱粉を乾燥して、乾燥した粒子状アルファ化澱粉を生成するステップと
を含む。
【００１２】
本発明の方法は、特に低アミロース澱粉の処理に有用である。好ましくは、本発明の方法で使用される澱粉は、アミロース含有量が３５重量％以下である。より好ましくは、前記澱粉は、アミロース含有量が１０重量％以下、好ましくは５重量％以下の低アミロース澱粉である。
【００１３】
特に好ましい実施形態によれば、上記で定義した本発明の方法のステップａ）において、非アルファ化澱粉の水性スラリーは二流体ノズルに供給され、二流体ノズルは、ノズル本体、ノズルキャップ、およびノズル本体とノズルキャップとの間に配置された内部チャンバを備え、ノズル本体は、非アルファ化澱粉の水性スラリーの供給器に接続された、澱粉の水性スラリーを内部チャンバ内に噴霧するための少なくとも１つの噴霧器を備え、内部チャンバは、圧力下の過熱蒸気の供給器に接続された、圧力下の過熱蒸気を内部チャンバ内に導入するための少なくとも１つの入口をその内部に備え、ノズルキャップは、内部チャンバからの少なくとも１つの出口を備え、前記内部チャンバは、内部チャンバの長さを変えることが可能な、４〜１０００ｍｍの長さの置換可能および／または交換可能なスペーサー要素も備える。
【００１４】
さらに、本発明は、澱粉の噴霧乾燥に使用するための二流体ノズルであって、ノズル本体、ノズルキャップ、およびノズル本体とノズルキャップとの間に配置された内部チャンバを備え、ノズル本体は、澱粉の水性スラリーの供給器に接続するように適合された、澱粉の水性スラリーを内部チャンバ内に噴霧するための少なくとも１つの噴霧器を備え、内部チャンバは、圧力下の過熱蒸気の供給器に接続するように適合された、圧力下の過熱蒸気を内部チャンバ内に導入するための少なくとも１つの入口を備え、ノズルキャップは、内部チャンバからの少なくとも１つの出口を備える、二流体ノズルにおいて、前記内部チャンバが、内部チャンバの長さを変えることが可能な、４〜１０００ｍｍの長さの交換可能なスペーサー要素も備えることを特徴とする二流体ノズルを提供する。
【００１５】
また本発明は、ＵＤＭＳＯ（９体積のＤＭＳＯ、１体積の６Ｍ尿素）中、８ｍｇ／ｍｌの濃度、２５℃での、アルファ化澱粉の見かけ粘度の、対応する元の非アルファ化澱粉の見かけ粘度に対する比率が、１ｓ−１において１．００〜１．１８であり、前記澱粉の６重量％水性分散液の３０℃での規格化貯蔵弾性率Ｇ’（ｃ／ｃ＊）が、１５〜３０Ｐａである、アルファ化澱粉も提供する。
【００１６】
さらに本発明は、本発明による澱粉の、食品、飼料、化粧品、医薬品用途、およびパーソナルケア製品における使用に関する。
【図面の簡単な説明】
【００１７】
【図１】本発明の二流体ノズルの好ましい実施形態の横断面を示す図面である。
【図２】本発明によって生成されたアルファ化澱粉（例１および例２）と、従来的に噴霧蒸解された澱粉Ｃ＊ＨｉＦｏｒｍ  Ａ  １２７９１（Ｃａｒｇｉｌｌ、Ｉｎｃｏｒｐｏｒａｔｅｄ製）との、経時的な粘度発現の比較を示す図面である。
【発明を実施するための形態】
【００１８】
用語「過熱蒸気」は、本発明において、その圧力に対応した沸点よりも高い温度に加熱された蒸気（＝気体状態の水）を意味する。したがって、過熱蒸気は、水と接触した状態で存在することまたは水を含有することができず、理想気体と類似している。過熱蒸気は、サーチャージ蒸気（ｓｕｒｃｈａｒｇｅｄ  ｓｔｅａｍ）、無水蒸気（ａｎｈｙｄｒｏｕｓ  ｓｔｅａｍ）、および蒸気ガス（ｓｔｅａｍ  ｇａｓ）とも呼ばれる。
【００１９】
用語「内部チャンバ」は、本明細書で使用するとき、ノズル内の場所であって、非アルファ化澱粉と過熱蒸気との部分的反応が生じる場所である。この反応は部分的であるが、その理由は、本発明の方法によれば、澱粉は内部チャンバ内で部分的に、即ち、完全にではなく糊化されるためである。用語「内部チャンバ」は、チャンバの特定の形態、即ち、チャンバの形状、大きさ、または、構成を限定するものではない。例えば、チャンバは、管状の形態であり得る。「内部チャンバ」は、過熱蒸気のための少なくとも１つの入口を備え、ノズルキャップ内にまたはノズルキャップの傍に備えられた少なくとも１つの出口によって通気され、そして少なくとも１つの噴霧器により噴霧された澱粉スラリーの供給を受ける。
【００２０】
用語「連続反応」は、本明細書で使用するとき、このような反応器をバッチ型反応器と区別することを意図している。
【００２１】
非アルファ化澱粉は、任意の天然原料に由来するものであってよく、ここで用語「天然」とは、前記澱粉が自然に見出されることに関係する。特に区別しない限り、本明細書における澱粉に関する言及は、対応するフラワー類を含むことを意図している。フラワー類は、タンパク質、例えばコムギグルテン、を含有するものであってもよい。澱粉の典型的な原料は、穀類、塊茎、根豆類、果実の澱粉、およびハイブリッド澱粉である。適切な原料としては、限定されないが、トウモロコシ、エンドウ、ジャガイモ、サツマイモ、ソルガム、バナナ、オオムギ、コムギ、コメ、サゴ、アマランス、タピオカ、アロールート、カンナ、および、低アミロース澱粉（約３５重量％以下、好ましくは１０重量％以下、より好ましくは５重量％以下のアミロースを含有する）、もしくは高アミロース澱粉（少なくとも約４０重量％のアミロースを含有する）が挙げられる。また、交雑育種、転座、逆位、形質転換、またはその変形を含めるように遺伝子または染色体の操作を行う任意の他の方法を含む育種技術によって得られた植物に由来する澱粉も適している。さらに、上記の属の混合物の人為突然変異および変形（公知の標準的な突然変異育種方法によって生成し得る）から生育された植物に由来する澱粉も、本明細書における適切な澱粉である。使用される澱粉は、化工された澱粉、例えば、化学的に化工された澱粉または物理的に化工された澱粉であってもよい。化学的に化工された澱粉の例としては、アセチル化澱粉、ヒドロキシエチル化およびヒドロキシプロピル化澱粉、無機的にエステル化された澱粉、カチオン性澱粉、アニオン性澱粉、酸化澱粉、双性イオン性澱粉、酵素変性澱粉、およびその組合せが挙げられ、これらに限定されないが、但し、これらの澱粉がアルファ化されていないことが条件である。物理的に化工された澱粉の例としては、熱的に抑制された澱粉などが挙げられ、例えば、ＥＰ１０３８８８２Ａ（特許文献４）に開示された澱粉が挙げられる。本発明の方法の好ましい一実施形態において、処理される非アルファ化澱粉は、アミロース含有量が３５重量％以下、好ましくは１０重量％以下、より好ましくは５重量％以下の低アミロース澱粉である。他の好ましい実施形態は、ジャガイモ澱粉、タピオカ澱粉、アミロース含有量が３５重量％以下、好ましくは１０重量％以下、より好ましくは５重量％以下のｎ−ＯＳＡ（ｎ−オクテニルコハク酸無水物）澱粉である。上記に述べた非アルファ化澱粉および／またはフラワーの任意の混合物も本発明の範囲内であることが理解されるべきである。
【００２２】
本発明の方法によれば、非アルファ化澱粉および／またはフラワーは、二流体ノズルの内部チャンバにおいて、過熱蒸気で処理される。二流体（ｂｉ−ｆｌｕｉｄ）ノズルは、時には２流体（ｔｗｏ−ｆｌｕｉｄ）ノズルと称され、液体入口および気体入口で構成され、液体と気体とは内部チャンバ内に集められた後、ノズルから排出される。本発明では、非アルファ化澱粉またはフラワーの水性スラリーがノズルの内部チャンバ内に噴霧されるが、内部チャンバ内ではチャンバ内への過熱蒸気の供給によって過熱蒸気環境が形成されている。過熱蒸気の内部チャンバ内への入口での温度は、所望の特性を有する部分的に糊化された澱粉を得るために、極めて重要である。内部チャンバの入口での過熱蒸気の温度は、１５０℃〜６５０℃、好ましくは２００℃〜５５０℃、より好ましくは２３０〜４５０℃の範囲である。さらに内部チャンバの入口での過熱蒸気の温度が２００℃、２０５℃、または２３０℃〜２５０℃となるようにプロセスを実行することによって、興味深い結果が得られる。
【００２３】
典型的には、非アルファ化澱粉は、ｐＨが２〜１１、好ましくは２〜１０．５、より好ましくは２〜１０、さらにより好ましくは２〜９、なお一層好ましくは３〜８、および最も好ましくは４〜８である水性澱粉スラリーの形態である。
【００２４】
過熱蒸気が、内部チャンバ内へ注入され、それにより内部チャンバに存在する空気または他のガスと入れ替わる。一般的には、空気または他のガスと入れ替わるまで過熱蒸気を内部チャンバで吹きわたらせてから、非アルファ化澱粉と過熱蒸気との反応を行う。内部チャンバに空気が存在しなくなることにより、本発明の方法は防爆性になる。内部チャンバの大きさおよび／または形状に応じて、内部チャンバ内へ注入する過熱蒸気の流入速度を調整することにより、内部チャンバの出口における所望の過熱蒸気温度を確保できることを理解しておくべきである。非アルファ化澱粉スラリーは、内部チャンバに入るときに噴霧され、噴霧器での当該水性澱粉スラリーの温度は、前記澱粉の糊化温度よりも十分に低くする必要がある。澱粉スラリーは、好ましくは、固形分含有量が１〜４０重量％、より好ましくは１０〜３５重量％、より一層好ましくは２０〜３５重量％である。
【００２５】
噴霧された澱粉スラリーは、ノズルの内部チャンバで部分的にのみ糊化され、次いでノズルの出口を通ってノズルから反応器へ排出される。スラリーは、部分的に糊化された澱粉を含有する液滴のスプレーの形態で反応器に入り、反応器内で、過熱蒸気と接触する。澱粉のこのさらなる過熱蒸気処理により、ノズル内で部分的にのみ糊化された澱粉が、反応器内で、完全に糊化されることになる。
【００２６】
反応器は、噴霧乾燥機器で使用される任意の反応器であってよい。かかる噴霧乾燥機は、典型的に、その頂部または頂部近くに液滴のスプレーを導入して重力の作用により落下させる反応器を備える。本発明で使用される反応器は、過熱蒸気の流れまたは噴流を反応器内に導入するための少なくとも１つの入口と、反応器の内容物を排出させるための少なくとも１つの出口とを備える。典型的には、反応器の過熱蒸気のための少なくとも１つの入口は、過熱蒸気の流れまたは噴流が、反応器に入った後で、部分的に糊化された澱粉を含有する液滴と、二流体ノズルから反応器への排出が行われる二流体ノズルからの出口またはその近くで接触するように、配置される。
【００２７】
反応器内に導入される過熱蒸気の温度は、反応器からの出口での温度が、典型的に、１００℃〜１６５℃、好ましくは１１５℃〜１４０℃、より好ましくは１１５℃〜１２５℃の範囲であるようにする。
【００２８】
上述のように、好ましい実施形態によれば、二流体ノズルで実施される、部分的に糊化された澱粉を生成するための非アルファ化澱粉の過熱蒸気処理は、本明細書で詳細に記載する本発明の二流体ノズルで実施される。
【００２９】
本発明者らは、本発明の方法によって非アルファ化澱粉を処理することで、従来技術の方法で得られた澱粉とは非常に異なる、特定の流体力学的および／または粘弾性的特性を示すアルファ化澱粉が得られることを見出した。例えば、本発明によるアルファ化澱粉は、既知のロール式乾燥法または噴霧蒸解／乾燥法により調製されたアルファ化澱粉と比較して、極めて高い冷水粘度を示す。このことは、ＵＤＭＳＯ（９体積のＤＭＳＯ、１体積の６Ｍ尿素）中、８ｍｇ／ｍｌの濃度、２５℃でのアルファ化澱粉の見かけ粘度と、同じ条件下での対応する元の非アルファ化澱粉の見かけ粘度とを測定し、非アルファ化澱粉の見かけ粘度に対するアルファ化澱粉の見かけ粘度の比率を計算することによって、実証される。本発明の方法によって得ることができるアルファ化澱粉の（上述のように決定される）比率は、１．００〜１．１８である。このように、本発明の方法によって得ることができるアルファ化澱粉は、高い即時性粘度発現を示し、糊化されたとき、非アルファ化澱粉に匹敵する粘度を達成する。
【００３０】
パラメータである貯蔵弾性率（Ｇ’）は、せん断プロセスの間に試料によって保存された変形エネルギー（ｄｅｆｏｒｍａｔｉｏｎ  ｅｎｅｒｇｙ）の尺度であり、ゲルの弾性または剛性と関係する。本発明の方法によって得ることができるアルファ化澱粉は、当該澱粉の６重量％水性分散液を使用した３０℃における規格化貯蔵弾性率Ｇ’（ｃ／ｃ＊）が１５〜３０Ｐａであることを特徴とする。このように、本発明は、１）ＵＤＭＳＯ（９体積のＤＭＳＯ、１体積の６Ｍ尿素）中、８ｍｇ／ｍｌの濃度、２５℃での、アルファ化澱粉の、元の非アルファ化澱粉の見かけ粘度に対する見かけ粘度の比率が、１ｓ−１において１．００〜１．１８であり、２）アルファ化澱粉の６重量％水性分散液の３０℃での規格化貯蔵弾性率Ｇ’（ｃ／ｃ＊）が、１５〜３０Ｐａである、アルファ化澱粉も提供する。
【００３１】
本明細書で報告される貯蔵弾性率Ｇ’および粘度は、澱粉セルと呼ばれるシリンダ測定系およびシャフトＳＴ２４（Ａｎｔｏｎ  Ｐａａｒ  Ｐｈｙｓｉｃａ、Ｇｅｒｍａｎｙ製）を備えたＭＣＲ３００レオメータ（同じくＡｎｔｏｎ  Ｐａａｒ  Ｐｈｙｓｉｃａ）を用いて測定した。一般的な貯蔵弾性率および粘度に関するさらなる情報は、Ｔｈｅ  Ｒｈｅｏｌｏｇｙ  Ｈａｎｄｂｏｏｋ、Ｍｅｔｚｇｅｒ、Ｔ．Ｇ．  （Ｖｉｎｃｅｎｔｚ  Ｖｅｒｌａｇ、Ｈａｎｎｏｖｅｒ、Ｇｅｒｍａｎｙ）（非特許文献１）で見出し得る。
【００３２】
本発明におけるアルファ化澱粉は、上述のように、アルファ化澱粉の見かけ粘度の、元の非アルファ化澱粉の見かけ粘度に対する比率が、１ｓ−１において１．００〜１．１８であり、上述のように、規格化貯蔵弾性率が１５〜３０Ｐａであって、典型的には、溶質の含有量が１５％未満であり、好ましくは１２％未満である。この本発明のアルファ化澱粉の澱粉顆粒構造は、典型的には、その生成プロセスの間に破壊されない。
【００３３】
好ましい実施形態によれば、アルファ化澱粉は、顆粒が未損傷であることを特徴とする。さらに、アルファ化澱粉は、アミロペクチン基準（ＳＦ（ＡＰ））による３０℃での膨張係数（ｓｗｅｌｌｉｎｇ  ｆａｃｔｏｒ）が、典型的には、２５〜４０、好ましくは２８〜３７、より好ましくは３０〜３５である。
【００３４】
さらに好ましい実施形態によれば、１）ＵＤＭＳＯ（９体積のＤＭＳＯ、１体積６尿素）中、８ｍｇ／ｍｌの濃度、２５℃での、アルファ化澱粉の見かけ粘度の、元の非アルファ化澱粉の見かけ粘度に対する比率が、１ｓ−１において１．００〜１．１８であり、２）当該アルファ化澱粉の６重量％水性分散液の３０℃での規格化貯蔵弾性率Ｇ’（ｃ／ｃ＊）が１５〜３０Ｐａである、本発明のアルファ化澱粉は、さらに、澱粉顆粒が未損傷であることと、アミロペクチン基準（ＳＦ（ＡＰ））による３０℃での膨張係数が２５〜４０、好ましくは２８〜３７、より好ましくは３０〜３５であることを特徴とする。このさらに好ましい実施形態によるアルファ化澱粉は、好ましくは溶質の含有量が１５％未満であり、より好ましくは１２％未満である。
【００３５】
本発明によるアルファ化澱粉は、水性液体に加えられたとき、水性液体の加熱をほとんどまたは全く必要とせずに、高い粘度を発現する能力を有する。前記澱粉はアルファ化されているため、澱粉を含有する液体を、粘度を発現させるために糊化温度まで加熱する必要はない。典型的には、本発明のアルファ化澱粉を４０℃の水性液体に２重量％の濃度で添加してから１３５秒後に、達成される粘度は５０ｍＰａ．ｓより高く、好ましくは５５ｍＰａ．ｓより高くなり、より好ましくは、粘度は６０ｍＰａ．ｓより高い。典型的には、その上限は、１５０〜２００ｍＰａ．ｓである。
【００３６】
さらに一層好ましい実施形態によれば、本発明における、１）ＵＤＭＳＯ（９体積のＤＭＳＯ、１体積６尿素）中、８ｍｇ／ｍｌの濃度、２５℃での、アルファ化澱粉の見かけ粘度の、元の非アルファ化澱粉の見かけ粘度に対する比率が、１ｓ−１において１．００〜１．１８であり、２）アルファ化澱粉の６重量％水性分散液の３０℃での規格化貯蔵弾性率Ｇ’（ｃ／ｃ＊）が１５〜３０Ｐａであるアルファ化澱粉は、さらに、（ｔ０）１３５秒での初期粘度が、５０ｍＰａ．ｓより高いこと、好ましくは５５ｍＰａ．ｓより高いこと、より好ましくは６０ｍＰａ．ｓより高いことをさらに特徴とする。
【００３７】
このさらに一層好ましい実施形態によるアルファ化澱粉は、好ましくは、顆粒が未損傷であり、アミロペクチン基準（ＳＦ（ＡＰ））による３０℃での膨張係数が２５〜４０、好ましくは２８〜３７、より好ましくは３０〜３５であることをさらに特徴とする。
【００３８】
上述のさらに好ましい実施形態によるアルファ化澱粉は、好ましくは、１５％未満、好ましくは１２％未満の溶質を有することをさらに特徴とする。
【００３９】
本発明のさらに好ましいアルファ化澱粉は、上述のように、アルファ化澱粉の見かけ粘度の、元の非アルファ化澱粉の見かけ粘度に対する比率が、１ｓ−１において１．００〜１．１８の範囲であり、上述のように、規格化貯蔵弾性率が１５〜３０Ｐａであるだけでなく、（ａ）顆粒が未損傷であること、（ｂ）有する溶質が１５％未満、好ましくは１２％未満であること、（ｃ）上述のように、アミロペクチン基準による膨張係数が、３０℃で、２５〜４０、好ましくは２８〜３７、より好ましくは３０〜３５であること、および（ｄ）上述のように、（ｔ０）１３５秒での初期粘度が５０ｍＰａ．ｓより高いこと、好ましくは５５ｍＰａ．ｓより高いこと、より好ましくは６０ｍＰａ．ｓより高いことをさらに特徴とする。
【００４０】
本発明の方法によって調製される澱粉は、その高い即時性粘度発現によって、多くの様々な用途、食品、飼料、化粧品、医薬品用途、およびパーソナルケア製品に適したものである。特に、コンビニエンスフード、酪農食品、ベーカリー食品、および錠剤の調製に適している。本発明の方法によって調製される澱粉を含むソース、スープ、グレービー、プティング、ドレッシング、ベーカリークリームおよび飲料は、即時性粘度発現および分散性の点で向上された性能を示し、特に、冷たい液体でのブルックフィールド粘度が、他の澱粉を用いた場合よりも極めて高い。本発明の方法により調製される澱粉は、特に、乳児用食品および幼児用食品における使用に適したものである。乳児用食品および幼児用食品の適用においては、全ての成分における微生物負荷（微生物量）が低いことが極めて重要である。本発明の方法によって澱粉が処理される高められた温度は、過熱蒸気処理を生き抜く微生物の混入物質が存在しないことを確実とする。さらに、閉じたプロセス、即ち、過熱蒸気処理から取得生成物のパッケージングまでのいかなる時点でも澱粉またはフラワーが周囲環境にさらされない系で行われるプロセスであることで、生成物が汚染されないことが保証される。したがって、本発明の澱粉は、何らの追加の処理を必要とすることなく、乳児用食品および幼児用食品に直接利用することができる。
【００４１】
上述のように、本発明は、噴霧乾燥澱粉の製造に使用するための二流体ノズルも提供する。本発明の二流体ノズルは、ノズル本体、ノズルキャップ、および、当該ノズル本体と当該ノズルキャップとの間に配置された内部チャンバを備え、当該ノズル本体は、澱粉の水性スラリーの供給器に接続するように適合された、澱粉の水性スラリーを内部チャンバ内に噴霧するための、少なくとも１つの噴霧器を備え、当該内部チャンバは、圧力下の過熱蒸気の供給器に接続するように適合された、圧力下の過熱蒸気を内部チャンバ内に導入するための少なくとも１つの入口を備え、当該ノズルキャップは内部チャンバからの少なくとも１つの出口を備え、前記内部チャンバは、内部チャンバの長さを変えることが可能な、４〜１０００ｍｍ、好ましくは４〜１００ｍｍ、より好ましくは４〜６４ｍｍ、最も好ましくは４〜１５ｍｍの長さの置換可能および／または交換可能なスペーサー要素も備える。二流体ノズルは、内部チャンバを有し、使用に際して、そこに圧力下の過熱蒸気が供給され、当該内部チャンバ内に過熱蒸気環境が形成される。澱粉またはフラワーの水性分散液またはスラリーは、内部チャンバ内の過熱蒸気環境に噴霧される。水性分散液またはスラリーの噴霧は、非アルファ化澱粉またはフラワーの分散液またはスラリーの供給器に接続されている１つまたは複数の噴霧器によって実施される。内部チャンバにおいて澱粉と過熱蒸気との間で行われる反応の度合は、とりわけ反応チャンバの寸法に依存し、特に、噴霧器開口部と、ノズルキャップに備えられた、過熱蒸気および処理された澱粉がノズルから排出されることになる１つまたは複数の出口との間の距離に依存する。上述のように、内部チャンバは、長さが４〜１０００ｍｍ、好ましくは４〜１００ｍｍ、より好ましくは４〜６４ｍｍ、最も好ましくは４〜１５ｍｍである置換可能および／または交換可能なスペーサー要素を備える。この交換可能スペーサー要素は、異なる長さを有するスペーサー要素で置換することができ、これにより、噴霧器開口部とノズルキャップ通気口との間の距離を、所望する澱粉と過熱蒸気との反応結果に合わせて変えることができる。したがって、交換可能スペーサー要素によって、澱粉と過熱蒸気との間の反応結果を事前に選択することができるようになる。交換可能スペーサー要素は、ノズルの側壁から内部チャンバ内へ半径方向内向きに延びる。澱粉と過熱蒸気との間の反応は、内部チャンバ内の過熱蒸気の流動特性によって影響を受けることから、内部チャンバ内に内向きに延びるスペーサー要素の１つまたは複数の部分の形状および／またはプロファイルによって影響を受ける。したがって、交換可能スペーサー要素を、ノズル内での使用にあたり予め選択して、内部チャンバの流動特性を変化させることができる。交換可能スペーサー要素は、例えば、内部チャンバを制限する異なるスペーサー要素または内部チャンバ内の過熱蒸気の流れを変える構成または配置を有する表面を備えるスペーサー要素で置換して、例えば、内部チャンバ内の過熱蒸気の均一な分布を改善させたり、または激しく撹乱させる相互作用の可能性を低減させたりすることができる。
【００４２】
交換可能スペーサー要素は、ノズルキャップおよびノズル本体に脱着可能に固定され、これにより、内部チャンバの大きさまたは形状を変えるための異なる長さのおよび／または異なる内部形状を有する交換可能スペーサー要素に、容易にノズル内で置換することができる。好ましくは、スペーサー要素は環状である。
【００４３】
ノズルの本体は、内部チャンバ内で過熱蒸気と共に処理されることとなる澱粉またはフラワーを含有する液体供給に接続される。液体供給は、典型的には、非アルファ化澱粉またはフラワーの水性分散液または水性スラリーであり、典型的には、圧力下、例えばポンプなどの手段によって、保持容器からノズルへ供給される。ノズルは、典型的には、１，１００，０００Ｐａ（１１バール（ｂａｒｇ））までの圧力条件下で作動可能である。内部チャンバは、好ましくは、円形断面を有する。内部チャンバは、円柱状、即ち、一定の直径を有するものであり得る。
【００４４】
ノズル本体に噴霧器が１個のみ備わる場合、噴霧器の開口部は、好ましくは、ノズル本体の中心に配置される。噴霧器が２個以上使用される場合、噴霧器はノズル本体の中心に対して対称的に配置することが好ましい。噴霧器が１個のみ使用される場合は、内部チャンバ内への過熱蒸気のための入口は、好ましくは、噴霧器の隣に配置される。噴霧器が２個以上使用される場合は、内部チャンバ内への過熱蒸気用の１つまたは複数の入口は、好ましくは、噴霧器に関して対称的に配置される。好ましい実施形態では、過熱蒸気は、１つまたは複数の噴霧器を囲む環状の入口から内部チャンバへ供給される。
【００４５】
本発明の方法の好ましい実施形態を実行するために有用な本発明の二流体ノズルの好ましい実施形態を、添付の図１を参照しながら、以下に詳細に記載する。
【００４６】
図１は、本発明による二流体ノズルの一実施形態の横断面を示す図面である。二流体ノズル１は、垂直に延びる円柱状穿孔３を有するノズルコア２を備え、円柱状穿孔３は、その最上端で、載頭円錐状（ｆｒｕｓｔｏｃｏｎｉｃａｌ）セクション４によって、噴霧開口部５へと、上方および内側へ延びている。円柱状穿孔３は、その最下端で、澱粉の水性スラリーの供給器（図示せず）に接続するための雄螺子を伴う継手６を有する。ノズルコアは、過熱蒸気の流れを受けるための導管７も備える。導管７は、その最上端で、噴霧開口部５を包囲する環状チャンバ８へと通じている。
【００４７】
ノズル１は、キャップ９と、置換可能環状スペーサー要素１０を備える。この実施形態において、キャップ９は、外面の環状縁１１を備え、この縁１１は、円柱状リング１３上に設けられたフランジ１２と係合し、円柱状リング１３は、スペーサー要素１０上に形成された雄螺子と係合するように適合させて形成された雌螺子を備える。円柱状リング１３の使用によって、キャップ９とスペーサー要素１０とは、脱着可能に一緒に固定されている。スペーサー要素は、円柱状リング１４によってノズル本体２に固定され、円柱状リング１４はスペーサー要素上およびノズル本体上に形成された雄螺子と係合するように適合させて形成された雌螺子を備える。スペーサー要素１０は、開口部５に向けて半径方向内側に延びて、内面１５と上面１６を与える。
【００４８】
スペーサー要素１０の内面１５は、噴霧開口部５を包囲して環状チャネル１８を規定する、管状セクション１７を規定する。ノズルキャップ９は、円柱状穿孔１９を有し、この円柱状穿孔１９は、その最上端では、中心に形成された出口２０で終結し、その下端では、内部載頭円錐状面２１で終結しており、内部載頭円錐状面２１は、前記穿孔１９から下側におよび外側に向けて延び、スペーサー要素１０の上面１６と接するその下縁で終結している。
【００４９】
ノズルキャップ９の内面と噴霧開口部５の内面との間で取り囲まれた空間は、内部チャンバ２２を形成し、使用に際し、この内部チャンバで、澱粉は部分的に糊化されてから、出口２０を介してノズルを離れる。内部チャンバで行われる澱粉の蒸解または糊化の程度は、噴霧開口部５と出口２０との距離、および内部チャンバの体積に依存する。内部チャンバのこれらの寸法は、置換可能スペーサー要素１０を異なる寸法を有するスペーサー要素と置換することによって、例えば、管状セクション１７の長さがより長くまたはより短く規定されているスペーサー要素、および／または管状セクション１７の直径がより大きくまたはより小さく規定されているスペーサー要素と置換することによって、変えることができる。スペーサー要素は、円柱状リング１４でノズル本体２との係合を外すことによってノズルから離れ、円柱状リング１３で係合を外すことによってキャップ９から離れる。異なる内部寸法を有するスペーサー要素を、次いで、キャップとの、およびノズル本体との係合を再び行うことによって挿入することができる。
【００５０】
このように、スペーサー要素１０の管状セクション１７の長さおよび／または内径は、必要に応じて変えることができる。内部チャンバの寸法、例えば、選択される要素１０によって規定される管状セクション１７の長さは、本発明の方法によって得られる最終生成物の意図する機能と、冷水に添加したときのアルファ化澱粉の所望の粘度に依存するであろう。管状セクションの長さ、即ち、スペーサー要素の長さは、４〜１０００ｍｍ、好ましくは４〜１００ｍｍ、より好ましくは４〜６４ｍｍ、最も好ましくは４〜１５ｍｍの範囲である。典型的には、管状セクション１７の内径は約６ｍｍである。
【００５１】
使用に際し、糊化されていない澱粉のスラリーは、圧力下にノズルの穿孔３に供給されて、開口部５を通ってノズルの内部チャンバ２２内に噴霧される。過熱蒸気は、圧力下に導管７に供給されて、開口部５の周辺の環状チャンバ８へと流れる。過熱蒸気は、開口部５から内部チャンバ２２に入る噴霧された澱粉スラリーのスプレーへ注入され、過熱蒸気とスプレーされた澱粉スラリーの液滴との接触によって、スプレーされた液滴中の澱粉に、部分的であって、完全ではない糊化が生じることになる。
【００５２】
部分的に糊化された澱粉のスプレーされた液滴は、１つまたは複数の出口を介して内部チャンバから出てまたは排出されて、反応器内に導入され、ここで、重力の作用によって反応器内で落下しながら、過熱蒸気とさらに接触することとなる。反応器内の過熱蒸気が、反応器に導入されたスプレーされた液滴中の部分的にのみ糊化された澱粉に作用することにより、液滴中の澱粉の糊化が完全になる。澱粉の液滴が反応器内で落ちるとき、液滴に含有される水分は蒸発し、これにより、反応器の底から回収することができる生成物は、乾燥した粒子状アルファ化澱粉の形態となる。
【００５３】
好ましくは、反応器を離れる蒸気または過熱蒸気の出口温度は、１００℃〜１６５℃、好ましくは１１５℃〜１４０℃、より好ましくは１１５℃〜１２５℃の範囲である。
なお、本願は、特許請求の範囲に記載の発明に関するものであるが、他の態様として以下も包含し得る：
１．澱粉を化工するための方法であって、以下：
ａ）非アルファ化澱粉の水性スラリーを、噴霧乾燥機の二流体ノズルに供給するステップであって、二流体ノズルが、非アルファ化澱粉の水性スラリーのための少なくとも１つの入口と、過熱蒸気を供給するための少なくとも１つの入口と、少なくとも１つの出口とを備える内部チャンバを備える、ステップ；
ｂ）非アルファ化澱粉の水性スラリーを、二流体ノズルの内部チャンバ内に噴霧するステップ；
ｃ）過熱蒸気を、二流体ノズルの内部チャンバ内に注入し、これにより、非アルファ化澱粉の噴霧された水性スラリーを、内部チャンバ内の過熱蒸気により加熱して、部分的に糊化された澱粉のスラリーを生成するステップであって、内部チャンバ内への少なくとも１つの入口での過熱蒸気の温度が、１５０℃〜６５０℃、好ましくは２５０℃〜５５０℃、より好ましくは３５０℃〜４５０℃の範囲にある、ステップ；
ｄ）前記部分的に糊化された澱粉を、前記内部チャンバから前記少なくとも１つの出口を通って反応器内へ排出するステップ；および
ｅ）前記反応器内に排出されたスラリーを過熱蒸気と接触させて、排出されたスラリー内の前記部分的に糊化された澱粉を完全に糊化し、当該完全に糊化された澱粉を乾燥して、乾燥した粒子状アルファ化澱粉を生成するステップ、
を含む方法。
２．澱粉のアミロース含有量が３５重量％以下、好ましくは１０重量％以下、より好ましくは５重量％以下である、上記１に記載の方法。
３．非アルファ化澱粉の水性スラリーの固形分含有量が、１〜４０重量％、好ましくは２０〜４０重量％である、上記１または２に記載の方法。
４．アルファ化澱粉であって、ＵＤＭＳＯ（９体積のＤＭＳＯ、１体積の６Ｍ尿素）中、８ｍｇ／ｍｌの濃度、２５℃での、アルファ化澱粉の見かけ粘度の、対応する元の非アルファ化澱粉の見かけ粘度に対する比率が、１ｓ−１において１．００〜１．１８であり、前記澱粉の６重量％の水性分散液の３０℃での規格化貯蔵弾性率Ｇ’（ｃ／ｃ＊）が１５〜３０Ｐａである、アルファ化澱粉。
５．溶質が１５％未満、好ましくは１２％未満である、上記４に記載のアルファ化澱粉。
６．顆粒が未損傷であり、アミロペクチン基準ＳＦ（ＡＰ）による３０℃での膨張係数（ｓｗｅｌｌｉｎｇ  ｆａｃｔｏｒ）が２５〜４０、好ましくは２８〜３７、より好ましくは３０〜３５であることを特徴とする、上記４または５に記載のアルファ化澱粉。
７．（ｔ０）１３５秒での初期粘度が５０ｍＰａ．ｓより高く、好ましくは５５ｍＰａ．ｓより高く、より好ましくは６０ｍＰａ．ｓより高い、上記４〜６のいずれか一つに記載のアルファ化澱粉。
８．ノズル本体、ノズルキャップ、およびノズル本体とノズルキャップとの間に配置された内部チャンバを備えた、澱粉の噴霧乾燥に使用するための二流体ノズルであって、ノズル本体が、澱粉の水性スラリーの供給器に接続するように適合された、澱粉の水性スラリーを内部チャンバ内に噴霧するための少なくとも１つの噴霧器を備え、内部チャンバが、圧力下の過熱蒸気の供給器に接続するように適合された、圧力下の過熱蒸気を内部チャンバ内へ導入するための少なくとも１つの入口を備え、そしてノズルキャップが内部チャンバからの少なくとも１つの出口を備える、二流体ノズルにおいて、前記内部チャンバが、内部チャンバの長さを変えることが可能な、４〜１０００ｍｍの長さを有する置換可能および／または交換可能なスペーサー要素も備えることを特徴とする二流体ノズル。
９．スペーサー要素が環状である、上記８に記載のノズル。
１０．ステップａ）において、非アルファ化澱粉の水性スラリーが、上記８または９に記載の二流体ノズルに供給される、上記１〜３のいずれか一つに記載の方法。
１１．上記４〜７のいずれか一つに記載のアルファ化澱粉の、食品、飼料、医薬品、化粧品、およびパーソナルケア製品における使用。
１２．食品が、幼児用調合乳または乳児用食品である、上記１１に記載の使用。
１３．乳児用食品成分と、１０〜２０％（乾燥重量基準）、好ましくは１０〜１５％の上記５〜７のいずれか一つに記載の澱粉とを含有する、乳児用食品。
１４．幼児用調合乳成分と、１０〜２０％（乾燥重量基準）、好ましくは１０〜１５％の上記５〜７のいずれか一つに記載の澱粉とを含有する幼児用調合乳。
【実施例】
【００５４】
例１
スラリー（乾燥物質１８重量％）を、ワキシーメイズ澱粉を使用して、２５℃で形成した。スラリーを、図１に示すような、本発明によるノズルに供給した。ノズルには、内径６ｍｍの管状セクション１７を規定する内面１５を与えるスペーサー要素（１０）を含めた。スペーサー要素の長さは４ｍｍであった。
【００５５】
過熱蒸気処理を開始する前に、スラリーを効率よく霧状にするため、熱および速度を与える加圧蒸気の連続する流れにノズルの内部チャンバ（図１の２２）を適合させた。澱粉スラリーを、流速約２９リットル／時で、ノズルにポンプ注入した。噴霧は、入口温度２５０℃を有する連続的な過熱蒸気環境で霧状にする。噴霧されたスラリーは、部分的に糊化された澱粉を含有するものとなっており、このスラリーを、ノズルの出口を介して噴霧乾燥機の反応器へと排出し、反応器内でさらに過熱蒸気処理を施した。反応器を離れる過熱蒸気の出口温度は１３７℃であった。得られた乾燥過熱蒸気処理澱粉を回収した。この澱粉の試料は、膨張係数が３４．６、規格化貯蔵弾性率、Ｇ’／（ｃ／ｃ＊）が２５Ｐａ、溶質（無水澱粉ｗ％）が１０．１、および見かけ粘度比η（出口）／η（入口）が１．１５であると認められた。
【００５６】
水性澱粉ペーストのレオロジー実験
試験は、澱粉セルと呼ばれるシリンダ測定系およびシャフトＳＴ２４（Ａｎｔｏｎ  Ｐａａｒ  Ｐｈｙｓｉｃａ、Ｇｅｒｍａｎｙ製）を備えるＭＣＲ３００レオメータ（同じくＡｎｔｏｎ  Ｐａａｒ  Ｐｈｙｓｉｃａ）で実施した。澱粉ペーストは、澱粉の水分含有量を、始めに、ＩＲ水分バランス（Ｓａｒｔｏｒｉｕｓ  ＭＡ３０）を用いて１３０℃で２０分間測定して調製した。既知量の澱粉（表１参照）を６００ｍｌのビーカーに量りとり、５０ｇのエチレングリコールで湿らせた。４００ｇの緩衝溶液（０．０２Ｍ酢酸塩緩衝液、ｐＨ５．５）を澱粉に添加し、大匙を用いて１分間、全体を徹底的に混合した。次いで、ペーストを１時間、室温で静置してから、測定を実施した。
【００５７】
【表１】
0005981583.tif 000002
【００５８】
振動試験
貯蔵弾性率Ｇ’（Ｐａ）を、歪み（％）の関数として、以下の手順に従って、３０℃で測定した。
−  １０分の第１区間：記録なし
−  ６００秒（１０分）の第２区間：データ点の記録
−  ３００測定点
−  歪み  ０．１〜１００％  ｌｏｇ
−  周波数  １Ｈｚ
澱粉の膨張と溶質の度合の測定
規格化貯蔵弾性率の定義
膨張係数
澱粉の膨張の度合は、３０℃で、（Ｔｅｓｔｅｒ  ａｎｄ  Ｍｏｒｒｉｓｏｎ（１９９０）、Ｓｗｅｌｌｉｎｇ  ａｎｄ  Ｇｅｌａｔｉｎｉｚａｔｉｏｎ  ｏｆ  Ｃｅｒｅａｌ  Ｓｔａｒｃｈｅｓ．，  Ｉ．  Ｅｆｆｅｃｔｓ  ｏｆ  Ａｍｙｌｏｐｅｃｔｉｎ，  Ａｍｙｌｏｓｅ，  ａｎｄ  Ｌｉｐｉｄｓ、Ｃｅｒｅａｌ  Ｃｈｅｍｉｓｔｒｙ、第６７巻、第６号、第５５１〜５５７頁）（非特許文献２）の直接法を使用して測定した（１００ｍｇ澱粉）。
【００５９】
容積式ピペットを用いて激しく渦流混合しながら、５ｍＬの０．０２Ｍ酢酸塩緩衝液の添加を行い、確実に固まりのないように澱粉を水和させた。
【００６０】
遠心分離は、（１，５００ｇで５分間に代えて）３，０００ｇで１０分間である。
【００６１】
３０℃での膨張係数ＳＦは、非次元性（ａｄｉｍｅｎｓｉｏｎａｌ）である。
【００６２】
３０℃でのアミロペクチン基準ＳＦ（ＡＰ）による膨張係数は、
ＳＦ（ＡＰ）＝ＳＦ×１００／ＡＰ
（式中、ＡＰはアミロペクチン含有量（重量％））である。
【００６３】
アミロペクチン含有量（重量％）は、澱粉含有量（重量％）から全アミロース含有量（重量％）を引いたもので、青価として決定される（Ｍｏｒｒｉｓｏｎ  ａｎｄ  Ｌａｉｇｎｅｌｅｔ（１９８３）、Ａｎ  ｉｍｐｒｏｖｅｄ  ｃｏｌｏｒｉｍｅｔｒｉｃ  ｐｒｏｃｅｄｕｒｅ  ｆｏｒ  ｄｅｔｅｒｍｉｎｉｎｇ  ａｐｐａｒｅｎｔ  ａｎｄ  ｔｏｔａｌ  ａｍｙｌｏｓｅ  ｉｎ  ｃｅｒｅａｌ  ａｎｄ  ｏｔｈｅｒ  ｓｔａｒｃｈｅｓ、Ｊｏｕｒｎａｌ  ｏｆ  Ｃｅｒｅａｌ  Ｓｃｉｅｎｃｅ、第１巻、第９〜２０頁）（非特許文献３）。
【００６４】
膨張体積と最密充填濃度ｃ＊
膨張係数を、（Ｓｔｅｅｎｅｋｅｎ（１９８９）、Ｒｈｅｏｌｏｇｉｃａｌ  Ｐｒｏｐｅｒｔｉｅｓ  ｏｆ  Ａｑｕｅｏｕｓ  Ｓｕｓｐｅｎｓｉｏｎｓ  ｏｆ  Ｓｗｏｌｌｅｎ  Ｓｔａｒｃｈ  Ｇｒａｎｕｌｅｓ、Ｃａｒｂｏｈｙｄｒａｔｅ  Ｐｏｌｙｍｅｒｓ、第１１巻、第２３〜４１頁）（非特許文献４）の方法を用いて、膨張体積ｑ（ｍＬ／ｇ）と最密充填濃度ｃ＊（ｇ／ｍＬ）（式中、ｃ＊＝１／ｑ）に変換した。
【００６５】
ｗ／ｗ％からｗ／ｖ％への変換は、３０℃での密度を、
０．０２Ｍ酢酸塩緩衝液については、ｄ＝０．９９７ｇ／ｍＬ、
エチレングリコール（ＧＣで９９．０％）については、ｄ＝１．１１３ｇ／ｍＬ、
アルファ化澱粉については、ｄ＝１．４ｇ／ｍＬ
と仮定して行った。
【００６６】
規格化貯蔵弾性率
Ｓｔｅｅｎｅｋｅｎ（１９８９）に記載されているように、貯蔵弾性率は、（膨張澱粉顆粒の）体積分率の関数ｃ／ｃ＊＝ｃｑとして表すことができる。
【００６７】
Ｇ’／（ｃ／ｃ＊）が、規格化貯蔵弾性率である。
【００６８】
溶質、即ち、３０℃でのα−グルカン抽出物（ｅｘｔｒａｃｔａｂｌｅｓ）
既知量の澱粉（表２参照）を６００ｍｌのビーカーに量りとり、５０ｇのエチレングリコールで湿らせる。４００ｇの緩衝溶液（０．０２Ｍ酢酸塩緩衝液、ｐＨ５．５）を澱粉に添加し、大匙を用いて１分間、全体を徹底的に混合した。次いで、ペーストを、３０℃で３０分間、撹拌した（磁気撹拌、２００ｍｉｎ−１）。
【００６９】
【表２】
0005981583.tif 000003
【００７０】
澱粉の溶質の度合を、（３，０００ｇで１０分間、遠心分離後の）澱粉懸濁液の上清の濾過液（０．４５ｍｍを通したもの）から測定した。濾液をアミログルコシダーゼで加水分解し、得られたグルコースを、（Ｋａｒｋａｌａｓ（１９８５）、Ａｎ  Ｉｍｐｒｏｖｅｄ  Ｅｎｚｙｍｉｃ  Ｍｅｔｈｏｄ  ｆｏｒ  ｔｈｅ  Ｄｅｔｅｒｍｉｎａｔｉｏｎ  ｏｆ  Ｎａｔｉｖｅ  ａｎｄ  Ｍｏｄｉｆｉｅｄ  Ｓｔａｒｃｈ、Ｊ  Ｓｃｉ  ＦｏｏｄＡｇｒｉｃ．、第３６巻、第１０１９〜１０２７頁）（非特許文献５）に記載されるように、グルコースオキシダーゼ−ペルオキシダーゼ−クロモゲンで定量した。
【００７１】
全てのデータは、３０℃、０．０２Ｍ酢酸塩緩衝液（ｐＨ５．５）中のデータとして報告している。
【００７２】
ＵＤＭＳＯ中の溶解特性
入口澱粉（蒸解（ｃｏｏｋ−ｕｐ）、即ち、非アルファ化澱粉）と、本発明の出口澱粉（ＳＨＳ、即ち、アルファ化澱粉）とをＵＤＭＳＯ（９体積のＤＭＳＯと１体積の６Ｍ尿素）に４８時間、室温で溶解させた。８００ｍｇの無水澱粉＋１００ｍＬのＵＤＭＳＯ。
【００７３】
溶液の見かけ粘度を、同軸円柱状二重ギャップ（ｃｏａｘｉａｌ  ｃｙｌｉｎｄｅｒ  ｄｏｕｂｌｅ  ｇａｐ）測定システム（ＤＧ  ２６．７）およびペルチェ（Ｐｅｌｔｉｅｒ）温度装置（Ｈ−ＰＴＤ２００）を備えたＭＣＲ３０１レオメータ（Ａｎｔｏｎ  Ｐａａｒ  Ｐｈｙｓｉｃａ、Ｇｅｒｍａｎｙ製）で測定した。粘度は、ずり速度（ｓ−１）の関数として、以下の手順に従って、２５℃で測定した。
−  ５分の第１区間：記録なし
−  １，６５０秒（２７．５分）の第２区間：データ点の記録
−  様々な積分時間（１００〜１０秒）での３０測定点
−  ずり速度  １〜１００ｓ−１
不溶性の非α−グルカン材料が存在するとき（例えば、フラワー中のタンパク質）、上清の見かけ粘度を測定する前に、溶液を静置するか（１ｇ、一晩）または遠心分離する（１，０００ｇ、１０分）ことが推奨される。
【００７４】
見かけ粘度の比率は、ＵＤＭＳＯ中の出口澱粉（ＳＨＳ、即ち、アルファ化澱粉）の溶液粘度を、ＵＤＭＳＯ中の入口澱粉（蒸解、即ち、非アルファ化澱粉）の溶液粘度で割ったもの（１ｓ−１、ずり速度）である。
【００７５】
例２
スラリー（乾燥物質１８重量％）を、ワキシーメイズ澱粉を使用して、２５℃で形成した。スラリーを、例１で記載したような本発明によるノズルに供給し、例１に記載したように処理した。過熱蒸気処理を開始する前に、スラリーを効率よく噴霧させるため、熱および速度を与える加圧蒸気の連続する流れに、ノズルの内部チャンバを適合させた。澱粉スラリーを、流速約２９リットル／時で、ノズルにポンプ注入した。噴霧は、入口温度２３２℃および出口温度１３７℃を有する連続的な過熱蒸気環境で行う。例１のように、反応器の出口での過熱蒸気の温度は１３７℃であった。乾燥したアルファ化澱粉粒子を、反応器の底部から回収した。
【００７６】
例３
乳児用食品を、ふるい（２００μｍ未満）にかけた例１と例２の澱粉を使用して調製し、また従来的に噴霧蒸解された澱粉（Ｃ＊ＨｉＦｏｒｍ  Ａ  １２７９１、Ｃａｒｇｉｌｌ、Ｉｎｃｏｒｐｏｒａｔｅｄより）を使用して調製した。それぞれについて、３．８４ｇの澱粉を、２４．３ｇのＮＡＮ（登録商標）Ｐｒｏ乳児用フードミックス（澱粉非含有）と共に乾燥ブレンドした。１６４ｇの脱塩水を４０℃でｂｅｂｅ−ｊｏｕ哺乳瓶（２５０ｍｌ）に入れて、４０℃に整えた。前記乾燥ブレンド物を、この水に加え（時間ｔ＝０）、１５秒間、振り動かした（ｔ＝０からｔ＝１５まで）。混合物を、Ａｎｔｏｎ  Ｐａａｒ  Ｐｈｙｓｉｃａ  ＭＣＲ３００澱粉セル（スピンドルＳＴ２４、４０℃、ずり速度２３ｓ−１）に注いだ。粘度を、正確にｔ＝１３５秒で測定し、データ積分時間１０秒で、１５分間記録した。図２は、試験した混合物それぞれの粘度発現を示す。図２において、Ｘ軸の時間０秒は、脱塩水に澱粉含有乾燥ミックスを添加してから１３５秒後に相当する。図２には、例１によって得られた澱粉が、従来的に噴霧蒸解された澱粉よりも迅速に粘度を発現させたこと、また例２によって得られた澱粉が、より一層迅速に粘度を発現させ、他の澱粉で達成された粘度よりも極めて高い最終粘度に達したことを示す。
【００７７】
【表３】
0005981583.tif 000004
【図１】
0005981583.tif 000005
【図２】
0005981583.tif 000006